(57)【要約】      （修正有）【課題】外部接続端子のぐらつきを規制する端末装置を提供する。【解決手段】ノートパソコン１００は、本体装置及びディスプレイ装置を有する。本体装置は、筐体の内部に設けられた少なくとも１つの外部接続端子４０ａ、４０ｂと、本体装置に対してディスプレイ装置を開閉するヒンジと、を備える。ヒンジは、ヒンジの軸を保持し本体装置の筐体の端部に固定される本体部と、本体部から外部接続端子の位置まで延び、外部接続端子に当接して、外部接続端子を本体装置の上側筐体１１ａの内面に向けて押圧する延長部３１ｅとを有するブラケットを備える。ヒンジのブラケットにより外部接続端子のぐらつきを規制する。【選択図】図５
2018073156.tif 000002
【特許請求の範囲】
【請求項１】
第１装置及び第２装置を有する端末装置であって、
前記第１装置の筐体の内部に設けられた少なくとも１つの外部接続端子と、
前記第１装置に対して前記第２装置を開閉するヒンジと、を備え、
前記ヒンジは、前記ヒンジの軸を保持し前記第１装置の筐体の端部に固定される本体部と、前記本体部から前記外部接続端子の位置まで延び、前記外部接続端子に当接して、前記外部接続端子を前記第１装置の筐体の内面に向けて押圧する延長部とを有するブラケットを備える、端末装置。
【請求項２】
前記ブラケットの前記延長部は、前記外部接続端子に当接する面の反対側において、少なくとも一部が前記第１装置の筐体の内面に当接し、
前記第１装置は、前記第１装置の筐体の外面において、前記ブラケットの前記延長部が前記第１装置の筐体に当接する位置の反対側の位置に設けられる脚であって、前記第１装置を支持するときに、前記第１装置の筐体及び前記ブラケットの前記延長部を通じて、前記外部接続端子を前記第１装置の筐体の内面に向けて押圧する脚を備える、請求項１に記載の端末装置。
【請求項３】
前記ブラケットの前記延長部は、前記外部接続端子の外形にあわせて形成された段差部を有する、請求項１又は２に記載の端末装置。
【発明の詳細な説明】
【技術分野】
【０００１】
本出願は外部接続端子を有する端末装置に関する。
【背景技術】
【０００２】
ノートブック型パーソナルコンピュータ（以下、ノートパソコンと称する）等の端末装置には、外部接続端子が実装されている。外部接続端子は、例えば、電源を供給（充電）する電源コネクタ、又は、データを入出力するためのＵｎｉｖｅｒｓａｌ  Ｓｅｒｉａｌ  Ｂｕｓ（ＵＳＢ）コネクタ等である。ユーザは、端末装置に取り付けられた外部接続端子に対するケーブルの挿抜を日常的に行う。そのため、挿抜時のぐらつき及びぐらつきによる外部接続端子へのストレスを軽減するよう、外部接続端子を筐体に押圧する構造が筐体に設けられる。例えば、特許文献１及び２には、筐体のリブ等の突起又は別途のブラケットを用いて外部接続端子を筐体に押圧する構造が開示されている。
【先行技術文献】
【特許文献】
【０００３】
【特許文献１】特開２０１３−７７５１９号公報
【特許文献２】特開２００９−１６３２９号公報
【発明の概要】
【発明が解決しようとする課題】
【０００４】
しかしながら、端末装置が薄型化されて平坦になるに伴い、筐体に外部接続端子を押圧することが可能な突起等を設けることが困難となっている。
【０００５】
１つの側面では、外部接続端子のぐらつきを規制する端末装置を提供することを目的とする。
【課題を解決するための手段】
【０００６】
１つの形態によれば、第１装置及び第２装置を有する端末装置であって、第１装置の筐体の内部に設けられた少なくとも１つの外部接続端子と、第１装置に対して第２装置を開閉するヒンジと、を備え、ヒンジは、ヒンジの軸を保持し第１装置の筐体の端部に固定される本体部と、本体部から外部接続端子の位置まで延び、外部接続端子に当接して、外部接続端子を第１装置の筐体の内面に向けて押圧する延長部とを有するブラケットを備える、端末装置が提供される。
【発明の効果】
【０００７】
外部接続端子のぐらつきを規制した端末装置を提供することができる。
【図面の簡単な説明】
【０００８】
【図１】（ａ）は開示する端末装置を示す斜視図であり、（ｂ）は（ａ）のＡ部分の部分斜視図である。
【図２】（ａ）は比較技術である端末装置の部分斜視図であり、（ｂ）は（ａ）のＢ−Ｂ線に沿った部分断面図である。
【図３】（ａ）は開示する端末装置の底面側から見た分解斜視図であり、（ｂ）は（ａ）のＣ部分の部分斜視図である。
【図４】開示する端末装置の底面側からみた部分斜視図であり、ケーブル等を挿入した状態を示す。
【図５】（ａ）は図４のＶａ−Ｖａ線に沿った断面図であり、（ｂ）は図４のＶｂ−Ｖｂ線に沿った断面図である。
【図６】端末装置のヒンジを示す分解斜視図であり、ヒンジを取り外して外部接続端子を筐体に取り付けた状態を示す図である。
【図７】端末装置の別例を示す図であり、端末装置の底面側からみた分解斜視図である。
【図８】端末装置の別例を示す図であり、端末装置の底面側からみた部分斜視図である。
【図９】図８のＩＸ−ＩＸに線に沿った断面図である。
【発明を実施するための形態】
【０００９】
以下、添付図面を用いて本出願の実施の形態を、具体的な実施例に基づいて詳細に説明する。また、以下の実施の形態において同一又は類似の要素には共通の参照符号を付けて示し、理解を容易にするために、これらの図面は縮尺を適宜変更している。
【００１０】
図１は、本実施形態の端末装置の一例であるノートパソコン１００を示す斜視図である。ノートパソコン１００は、本体装置１０（第１装置の一例）と、本体装置１０に対してヒンジ３０を介して開閉されるディスプレイ装置２０（第２装置の一例）とを備える。図１（ａ）は、ディスプレイ装置２０が開いた状態を示している。また、以下では、ノートパソコン１００が開いた状態において、図１（ａ）に示される矢印Ｘ方向を本体装置１０の幅方向の右側として説明する。これと同様に、図１（ａ）に示される矢印Ｙ方向を本体装置１０の上下方向の上側として説明する。さらに、図１（ａ）に示される矢印Ｚ方向を本体装置１０の前後方向の後側として説明する。
【００１１】
本体装置１０の内部には、図示しないＣｅｎｔｒａｌ  Ｐｒｏｃｅｓｓｉｎｇ  Ｕｎｉｔ（ＣＰＵ）等の電子部品を搭載する回路基板が収納されている。本体装置１０の上面にはキーボード及びタッチパッド等の入力機器が設けられている。ディスプレイ装置２０のディスプレイ部分１０２には、ＬＣＤ等の表示パネルが設けられていて、表示パネルはケーブル等により本体装置１０の回路基板と接続されている。図１（ｂ）に示すように、本体装置１０の左側端部には、回路基板と接続する外部接続端子４０ａ、４０ｂが設けられている。本実施形態では、外部接続端子４０ａは、電源ケーブルの端子と接続する電源コネクタである。また、外部接続端子４０ｂはＵＳＢコネクタであり、データを入出力するＵＳＢケーブルの端子又はＵＳＢメモリの端子と接続する。外部接続端子４０ａ、４０ｂにおいては、ユーザにより、電源ケーブルの端子又はＵＳＢケーブルの端子の挿抜が頻繁に行われる。
【００１２】
ここで、比較技術の端末装置であるノートパソコンについて図２を用いて説明する。図２（ａ）は、比較技術の端末装置であるノートパソコンの本体装置２１０の左側端部を示す斜視図であり、電源ケーブルの端子５０ａ及びＵＳＢケーブルの端子５０ｂが、本体装置２１０の外部接続端子４０ａ、４０ｂに接続された状態を示す。図２（ｂ）は、図２（ａ）のＢ−Ｂ線に沿った断面図であり、比較技術において外部接続端子４０ｂを支持する構造を示す図である。
【００１３】
図２（ｂ）に示すように、比較技術のノートパソコンでは、筐体２１１の縁２１１ａと筐体２１１の内部に形成されたリブ６０とにより、外部接続端子４０ｂを支持することで、ＵＳＢケーブルの端子５０ｂを挿抜する際に発生するぐらつきを規制している。
【００１４】
しかしながら、ノートパソコンを薄型化するために、本体装置２１０の筐体２１１は、例えば金属板のプレス成型により作製されるようになり、筐体自体が板状で薄くなった。そのため、外部接続端子４０ｂがぐらつかないように支持するリブ６０を筐体に設けることが困難になっている。
【００１５】
本実施形態のノートパソコン１００は、図１及び図３〜図６に示すように、ヒンジ軸から外部接続端子４０ｂの位置まで延びるブラケット３１を有するヒンジ３０と、外部接続端子４０ａ、４０ｂとを備える。ノートパソコン１００の外部接続端子４０ａ、４０ｂ（以下まとめて外部接続端子４０と呼ぶ場合がある）は、比較的挿抜の回数が多い電源コネクタ及びＵＳＢコネクタである。外部接続端子４０は、筐体１１の内部に設けられている。さらに、本実施形態のノートパソコン１００では、外部接続端子４０は本体装置１０の左側端部の後側であって、ヒンジ３０の近傍に設けられている（図１参照）。本体装置１０の筐体１１は、図３（ａ）に示すように上側筐体１１ａと下側筐体１１ｂに分割可能である。ブラケット３１は、本体部３１ｂ及び延長部３１ｅを備える。本体部３１ｂは、ヒンジ３０の軸を保持し上側筐体１１ａの端部に固定される。また、延長部３１ｅは、本体部３１ｂから外部接続端子４０ｂの位置まで延びて、外部接続端子４０に当接し、延長部３１ｅは外部接続端子４０を上側筐体１１ａの内面１３ａに向けて押圧する。また、ブラケット３１は、上側筐体１１ａにネジ３２を用いて固定される。
【００１６】
図４は、ノートパソコン１００を底面側から見た斜視図である。図５（ａ）は、図４のＶａ−Ｖａ線に沿った断面図、図５（ｂ）は図４のＶｂ−Ｖｂ線に沿った断面図である。図４は外部接続端子４０ａ、４０ｂのそれぞれに、電源ケーブルの端子５０ａ、ＵＳＢメモリの端子５０ｃが挿入された状態を示している。図５（ａ）から分かるように、ブラケット３１の延長部３１ｅは、外部接続端子４０ａに当接する面の反対側において、下側筐体１１ｂの内面１３ｂに当接している。なお、ブラケット３１の延長部３１ｅと下側筐体１１ｂとの間のクリアランスは、ノートパソコン１００を机上等に置いたときにクリアランスを吸収できる範囲で設定され、極端に隙間が空かないように設けられる。
【００１７】
このような構造により、ノートパソコン１００を机上等に置いたとき、自重の力により下側筐体１１ｂ及びブラケット３１の延長部３１ｅが、外部接続端子４０ａを上側筐体１１ａの内面１３ａに向けて押圧する。そのため、外部接続端子４０ａが押さえられ、外部接続端子４０ａのぐらつきが規制されるようになる。
【００１８】
図５（ｂ）では、下側筐体１１ｂとブラケット３１の延長部３１ｅとは直接当接していないが、ブラケット３１の延長部３１ｅは本体部３１ｂから延びて連続している。そのため、外部接続端子４０ｂは、外部接続端子４０ａと同様に、上側筐体１１ａの内面に向けて、本実施形態では上側筐体１１ａに設けられたキーボードユニット１４に向けて、下側筐体１１ｂによりブラケット３１が押し上げられることにより、押圧される。よって、外部接続端子４０ｂのぐらつきが規制されるようになる。
【００１９】
図６は、ヒンジ３０を示す斜視図である。ヒンジ３０は、ヒンジ軸３３と、ヒンジ軸３３を保持しディスプレイ装置２０に固定される固定部３４と、ヒンジ軸３３を保持し本体装置１０に固定されるブラケット３１とを備える。ブラケット３１は、上述のように、本体部３１ｂが本体装置１０の筐体１１の端部に固定されたとき、外部接続端子４０の位置まで延びて、外部接続端子４０を押圧する延長部３１ｅを有する。また、ブラケット３１の延長部３１ｅは、外部接続端子４０ａの外形に応じた段差部３５が形成されている。段差部３５に外部接続端子４０ａを嵌め込むことで、例えば外部接続端子４０ａの横ずれを防止することができる。
【００２０】
本実施形態のように、ヒンジ３０のブラケット３１を用いて外部接続端子４０を押さえることで、別途下側筐体１１ｂに外部接続端子４０を押さえるリブを形成する必要がなくなる。そのため、板金のプレス成型による筐体設計を可能にして、薄い筐体を作製することが可能なる。また、薄くなったことよる筐体の剛性低下に対しても、ブラケット３１が外部接続端子４０まで延びることにより、ヒンジ軸３３から離れた部分が増えるため、ブラケット３１から筐体１１にかかる局部的な応力集中を避けることができる。そのため、薄くなった筐体１１の剛性が不足するという課題を解消することができる。
【００２１】
本実施形態では、二つの外部接続端子４０ａ、４０ｂがブラケット３１により押圧されているが、ブラケット３１に押圧される外部接続端子４０は、一つでもよくまた三つ以上であってもよい。また、外部接続端子４０の一例として電源コネクタ及びＵＳＢコネクタをあげているが、外部接続端子４０は、イヤフォンジャックコネクタ、又は、外部モニタに映像を出力するモニタ接続端子等であってもよい。また、外部接続端子４０は本体装置１０の右側端部に設けられてよく、右側端部に設けられた外部接続端子は右側に設けたヒンジのブラケット（図示しない）により上側筐体１１ａの内面１３ａに向けて押圧されてもよい。
【００２２】
図７〜９を用いて、端末装置の別例であるノートパソコン１００ａについて説明する。図７は、ノートパソコン１００ａを底面側から見た分解斜視図である。図８は、ノートパソコン１００ａの部分拡大斜視図である。図９は、図８のＩＸ−ＩＸ線に沿った断面図である。ノートパソコン１００ａは、図３〜６に示す実施形態と同様に、ヒンジ軸から外部接続端子４０ｂの位置まで延びるブラケット３１を有するヒンジ３０と、外部接続端子４０ａ、４０ｂとを備える。図７に示すようにノートパソコン１００ａは、さらに、本体装置１０の底面に設けられた４つの脚１２を備える。以下では、ヒンジ３０の付近に設けられた脚１２について説明する。また、筐体１１、ブラケット３１及び外部接続端子４０は図３〜６に示すノートパソコン１００と同様であるためその説明は省略する。
【００２３】
脚１２は、ノートパソコン１００ａを机上等に置いたとき、ノートパソコン１００ａの本体装置１０の重みを支持するよう取付けられている。そして、図９に示すように、脚１２は、ノートパソコン１００ａを机上に置いたときブラケット３１の延長部３１ｅの下方に位置するよう、下側筐体１１ｂに取り付けられている。すなわち、ブラケット３１の延長部３１ｅは外部接続端子４０ａと脚１２との間に設けられる。なお、図３に示すノートパソコン１００と同様に、ブラケット３１の延長部３１ｅと下側筐体１１ｂとの間のクリアランスは、ノートパソコン１００を机上等に置いたときにクリアランスを吸収できる範囲で設定され、極端に隙間が空かないように設けられる。
【００２４】
このような構造により、ノートパソコン１００ａを机上等に置いたとき、自重の力により脚１２が、下側筐体１１ｂ及びブラケット３１の延長部３１ｅを通して、外部接続端子４０ａを上側筐体１１ａの内面１３ａに向けて押圧する。下側筐体１１ｂのみで押圧する場合と比較して、自重の力が脚１２に集中するため、外部接続端子４０ａがより強く押さえられるようになり、外部接続端子４０ａのぐらつきが強く規制されるようになる。なお、脚１２はゴム製であるが、脚１２は例えば樹脂製であってもよい。
【００２５】
また、筐体１１の底面に取り付けた脚１２が、ヒンジ３０のブラケット３１の下方にあることで、ヒンジ３０の開閉時又は画面操作時にかかる負荷が、ブラケット３１を介して、脚１２の接地面で受けることができる。そのため、ノートパソコン１００ａの安定性を確保することができる。
【００２６】
また、脚１２、ブラケット３１の延長部３１ｅ、及び外部接続端子４０が重なる構造により、ノートパソコン１００ａの重量も外部接続端子４０を筐体１１に押さえつける力に利用することができる。そのため、装置重量の剛性とバランスを加味することで例えば筐体を薄くし、さらなる端末装置の軽量化を図ることができる。また、ヒンジ３０のブラケット３１が、ヒンジ３０を筐体１１に固定すると共に外部接続端子４０を押圧することで、それぞれを別の部材で行う場合とくらべ、部品数、容積、取り付け工数を減らすことができる。
【００２７】
なお、上述したノートパソコン１００及び１００ａでは、外部接続端子４０を上側筐体１１ａに取り付けているため、本体装置１０の上側筐体１１ａにブラケット３１をネジ３２で固定し、外部接続端子４０を上側筐体１１ａ側に押圧している。一方、本実施形態のノートパソコン１００及び１００ａとは反対の構造、すなわち、下側筐体１１ｂに回路装置等を配して、外部接続端子４０を下側筐体１１ｂに取付ける場合がある。このような場合、ブラケット３１の延長部３１ｅが、外部接続端子４０を下側筐体１１ｂ側に押圧するように、下側筐体１１ｂに固定しても構わない。この場合、外部接続端子４０は、ブラケット３１と脚１２との間に挟まれるようになる。
【００２８】
以上、本出願を特にその好ましい実施の形態を参照して詳細に説明した。本出願の容易な理解のために、本出願の具体的な形態を以下に付記する。
【００２９】
（付記１）第１装置及び第２装置を有する端末装置であって、
前記第１装置の筐体の内部に設けられた少なくとも１つの外部接続端子と、
前記第１装置に対して前記第２装置を開閉するヒンジと、を備え、
前記ヒンジは、前記ヒンジの軸を保持し前記第１装置の筐体の端部に固定される本体部と、前記本体部から前記外部接続端子の位置まで延び、前記外部接続端子に当接して、前記外部接続端子を前記第１装置の筐体の内面に向けて押圧する延長部と、を有するブラケットを備える、端末装置。
（付記２）前記ブラケットの前記延長部は、前記外部接続端子に当接する面の反対側において、少なくとも一部が前記第１装置の筐体の内面に当接し、
前記第１装置は、前記第１装置の筐体の外面において、前記ブラケットの前記延長部が前記第１装置の筐体に当接する位置の反対側の位置に設けられる脚であって、前記第１装置を支持するときに、前記第１装置の筐体及び前記ブラケットの前記延長部を通じて、前記外部接続端子を前記第１装置の筐体の内面に向けて押圧する脚を備える、付記１に記載の端末装置。
（付記３）前記ブラケットの前記延長部は、前記外部接続端子の外形にあわせて形成された段差部を有する、付記１又は２に記載の端末装置。
【符号の説明】
【００３０】
１００、１００ａ    ノートパソコン
１０    本体装置
１１    筐体
１１ａ    上側筐体
１１ｂ    下側筐体
１２    脚
２０    ディスプレイ装置
３０    ヒンジ
３１    ブラケット
３１ｂ    本体部
３１ｅ    延長部
３２    ネジ
３５    段差部
４０ａ、４０ｂ    外部接続端子
５０ａ    電源ケーブルの端子
５０ｂ    ＵＳＢケーブルの端子
【図１】
2018073156.tif 000003
【図２】
2018073156.tif 000004
【図３】
2018073156.tif 000005
【図４】
2018073156.tif 000006
【図５】
2018073156.tif 000007
【図６】
2018073156.tif 000008
【図７】
2018073156.tif 000009
【図８】
2018073156.tif 000010
【図９】
2018073156.tif 000011